【手続補正書】
【提出日】平成18年11月30日(2006.11.30)
【手続補正１】
【補正対象書類名】明細書
【補正対象項目名】特許請求の範囲
【補正方法】変更
【補正の内容】
【特許請求の範囲】
【請求項１】  複数のセグメントで構成される入力データの内容の特徴を表す特徴データを記述するためのデータ記述方法であって、
上記入力データを複数のセグメントに分割する分割工程と、
上記セグメントの特徴量を抽出する抽出工程と、
上記特徴量を用いて上記セグメント間の類似性を測定する測定工程と、
を有し、
上記特徴データは記述子の形式で表現され、上記記述子は下位要素としての属性が定義される構造を有することを特徴とするデータ記述方法。
【請求項２】  上記入力データは、ビデオデータにおける映像データと音声データとの少なくとも一方を含むことを特徴とする請求項１記載のデータ記述方法。
【請求項３】  上記記述子は、上記構造の形成能力を含めて上位の記述子の機能が継承されて生成されたものであることを特徴とする請求項１記載のデータ記述方法。
【請求項４】  上記下位要素としての属性は、記述子及び／又は特定の属性を定義することにより構成されていることを特徴とする請求項１記載のデータ記述方法。
【請求項５】  上記特徴データを、上記入力データとともに、外部機器へと送信することを特徴とする請求項１記載のデータ記述方法。
【請求項６】  上記測定した類似性に基づいて、上記セグメントをグループ化するグループ化工程をさらに有することを特徴とする請求項１記載のデータ記述方法。
【請求項７】  上記特徴量及び上記セグメント間の類似性に基づいて特徴データを生成する生成工程をさらに有することを特徴とする請求項１記載のデータ記述方法。
【請求項８】  上記抽出工程では、映像特徴量、音声特徴量、又は映像音声特徴量のいずれかを抽出することを特徴とする請求項１記載のデータ記述方法。
【請求項９】  上記抽出工程では、複数の特徴量を抽出し、該特徴量を組み合わせることを特徴とする請求項１記載のデータ記述方法。
【請求項１０】  上記グループ化工程では、所定時間の上記セグメントをグループ化することを特徴とする請求項１記載のデータ記述方法。
【請求項１１】  複数のセグメントで構成される入力データの内容の特徴を表す特徴データを生成するデータ処理装置であって、
上記入力データを複数のセグメントに分割する分割手段と、
上記セグメントの特徴量を抽出する抽出手段と、
上記特徴量を用いて上記セグメント間の類似性を測定する測定手段と、
を備え、
上記特徴データは記述子の形式で表現され、上記記述子は下位要素としての属性が定義される構造を有することを特徴とするデータ処理装置。
【請求項１２】  上記特徴データを、上記入力データとともに、外部機器へと送信することを特徴とする請求項１１記載のデータ処理装置。
【請求項１３】  複数のセグメントで構成される入力データの内容の特徴を表す特徴データを利用するデータ処理装置であって、
上記入力データは複数のセグメントに分割され、上記セグメントの特徴量が抽出され、上記特徴量を用いて上記セグメント間の類似性が測定され、上記特徴データは記述子の形式で表現され、上記記述子は下位要素としての属性が定義される構造を有し、
上記属性として記述子を含み得る記述子に基づいて生成された特徴データを利用して、上記入力データの内容の特徴を復元する復元手段を備えることを特徴とするデータ処理装置。
【請求項１４】  上記復元手段は、上記入力データの特徴を復元して上記入力データの加工されたデータを生成することを特徴とする請求項１３記載のデータ処理装置。
【請求項１５】  上記特徴データを、上記入力データとともに、外部機器から受信することを特徴とする請求項１３記載のデータ処理装置。
【手続補正２】
【補正対象書類名】明細書
【補正対象項目名】０００７
【補正方法】変更
【補正の内容】
【０００７】
【課題を解決するための手段】
上述した目的を達成する本発明にかかるデータ記述方法は、複数のセグメントで構成される入力データの内容の特徴を表す特徴データを記述するためのデータ記述方法であって、入力データを複数のセグメントに分割する分割工程と、セグメントの特徴量を抽出する抽出工程と、特徴量を用いてセグメント間の類似性を測定する測定工程とを有し、特徴データは記述子の形式で表現され、記述子は下位要素としての属性が定義される構造を有することを特徴としている。
【手続補正３】
【補正対象書類名】明細書
【補正対象項目名】０００９
【補正方法】変更
【補正の内容】
【０００９】
また、上述した目的を達成する本発明にかかるデータ処理装置は、複数のセグメントで構成される入力データの内容の特徴を表す特徴データを生成するデータ処理装置であって、入力データを複数のセグメントに分割する分割手段と、セグメントの特徴量を抽出する抽出手段と、特徴量を用いてセグメント間の類似性を測定する測定手段とを備え、特徴データは記述子の形式で表現され、記述子は下位要素としての属性が定義される構造を有することを特徴としている。
【手続補正４】
【補正対象書類名】明細書
【補正対象項目名】００１１
【補正方法】変更
【補正の内容】
【００１１】
さらに、上述した目的を達成する本発明にかかるデータ処理装置は、複数のセグメントで構成される入力データの内容の特徴を表す特徴データを利用するデータ処理装置であって、入力データは複数のセグメントに分割され、セグメントの特徴量が抽出され、特徴量を用いてセグメント間の類似性が測定され、特徴データは記述子の形式で表現され、記述子は下位要素としての属性が定義される構造を有し、属性として記述子を含み得る記述子に基づいて生成された特徴データを利用して、入力データの内容の特徴を復元する復元手段を備えることを特徴としている。
【手続補正５】
【補正対象書類名】明細書
【補正対象項目名】０２７２
【補正方法】変更
【補正の内容】
【０２７２】
【発明の効果】
以上詳細に説明したように、本発明にかかるデータ記述方法は、複数のセグメントで構成される入力データの内容の特徴を表す特徴データを記述するためのデータ記述方法であって、入力データを複数のセグメントに分割する分割工程と、セグメントの特徴量を抽出する抽出工程と、特徴量を用いてセグメント間の類似性を測定する測定工程とを有し、特徴データは記述子の形式で表現され、記述子は下位要素としての属性が定義される構造を有する。
【手続補正６】
【補正対象書類名】明細書
【補正対象項目名】０２７４
【補正方法】変更
【補正の内容】
【０２７４】
また、本発明にかかるデータ処理装置は、複数のセグメントで構成される入力データの内容の特徴を表す特徴データを生成するデータ処理装置であって、入力データを複数のセグメントに分割する分割手段と、セグメントの特徴量を抽出する抽出手段と、特徴量を用いてセグメント間の類似性を測定する測定手段とを備え、特徴データは記述子の形式で表現され、記述子は下位要素としての属性が定義される構造を有する。
【手続補正７】
【補正対象書類名】明細書
【補正対象項目名】０２７６
【補正方法】変更
【補正の内容】
【０２７６】
さらに、本発明にかかるデータ処理装置は、複数のセグメントで構成される入力データの内容の特徴を表す特徴データを利用するデータ処理装置であって、入力データは複数のセグメントに分割され、セグメントの特徴量が抽出され、特徴量を用いて各セグメント間の類似性が測定され、特徴データは記述子の形式で表現され、記述子は下位要素としての属性が定義される構造を有し、属性として記述子を含み得る記述子に基づいて生成された特徴データを利用して、入力データの内容の特徴を復元する復元手段を備える。